(57)【要約】      （修正有）【課題】設計上、組立上の自由度を大きくする。【解決手段】戸車形式の引戸３０の上端部の戸先側、戸尻側にそれぞれ高さ位置を異ならせて付設する一対のガイドローラ８１，８１と、該ガイドローラ８１，８１のそれぞれの高さ位置に合わせて上枠１２に固定する一対のローラ受けとを備えてなり、前記各ガイドローラ８１，８１は、引戸３０の閉鎖位置において前記各ローラ受けに係合し、引戸３０の上端部を天井側のシール材５２に密着させてシールする。【選択図】図３
2010265579.tif 000002
【特許請求の範囲】
【請求項１】
戸車形式の引戸の上端部の戸先側、戸尻側にそれぞれ高さ位置を異ならせて付設する一対のガイドローラと、該ガイドローラのそれぞれの高さ位置に合わせて上枠に固定する一対のローラ受けとを備えてなり、前記各ガイドローラは、引戸の閉鎖位置において前記各ローラ受けに係合し、引戸の上端部を天井側のシール材に密着させてシールすることを特徴とする引戸のシール構造。
【請求項２】
引戸の上端部は、天井側のガイドレールに係合するばね付きの揺動ローラを介し、前記天井側のシール材から引き離す方向に付勢することを特徴とする請求項１記載の引戸のシール構造。
【請求項３】
戸枠と、該戸枠に組み込む戸車形式の引戸と、該引戸に組み合わせる請求項１または請求項２記載の引戸のシール構造と、前記戸枠に装着するシール材とを備えてなり、該シール材は、閉鎖位置の前記引戸の床側、天井側、戸先側、戸尻側に対応するように配置することを特徴とする戸装置。
【請求項４】
戸枠と、該戸枠に組み込む左右の戸車形式の引戸と、該引戸のそれぞれに組み合わせる請求項１または請求項２記載の引戸のシール構造と、前記戸枠に装着するシール材とを備えてなり、該シール材は、閉鎖位置の前記各引戸の床側、天井側、戸尻側に対応するように配置することを特徴とする戸装置。
【請求項５】
戸枠と、該戸枠の各竪枠に組み付ける左右の回転形式の扉と、前記戸枠に組み込む左右の戸車形式の引戸と、該引戸のそれぞれに組み合わせる請求項１または請求項２記載の引戸のシール構造と、前記戸枠に装着するシール材とを備えてなり、該シール材は、前記各引戸の床側、天井側、前記各扉の床側、天井側、ヒンジ側に対応するように配置することを特徴とする戸装置。
【発明の詳細な説明】
【技術分野】
【０００１】
この発明は、遮音性、気密性に優れた引戸のシール構造と、それを使用する戸装置に関する。
【背景技術】
【０００２】
吊戸形式の引戸に対し、良好なシール性を実現し、初期開放時の操作力を小さくするために、吊車を介して引戸を吊下するガイドレールを緩やかに屈曲させて閉鎖位置の引戸をシールする技術が提案されている（特許文献１）。
【０００３】
引戸の戸先側、戸尻側には、それぞれ高さ位置を違えて吊車を取り付け、ガイドレールは、戸先側、戸尻側の各吊車用に個別に分割されている。戸尻側の吊車用のガイドレールは、戸先側の吊車用のガイドレールより高く設置されており、これらのガイドレールは、それぞれの戸先側が壁側に向けて緩やかに屈曲されている。そこで、引戸を閉鎖位置に駆動すると、各ガイドレールに沿って吊車が進行することにより引戸が壁側に平行移動し、戸枠上のシール材に引戸を密着させてシールを完成することができる。なお、各吊車には、引戸との連結部分にベアリング機構を組み込み、ガイドレールの屈曲に合わせて吊車の走行方向を滑らかに変更することができる（非特許文献１）。
【先行技術文献】
【特許文献】
【０００４】
【特許文献１】特開２００５−１１３３９６号公報
【非特許文献】
【０００５】
【非特許文献１】インターネット資料（http://www.spindle.co.jp/whatsnew/syaonkimitsu/index_main.html）、２００９年３月２日検索
【発明の概要】
【発明が解決しようとする課題】
【０００６】
かかる従来技術によるときは、引戸は、２本の屈曲するガイドレールから個別の吊車を介して吊下されるから、各ガイドレールの屈曲角度や取付精度に格段の配慮が必要である上、吊車が両フランジ付きの一輪形に限定されるため、ガイドレールや吊車に汎用性がなく、引戸の重量に制約を生じることがあるという問題があった。
【０００７】
そこで、この発明の目的は、かかる従来技術の問題に鑑み、戸車形式の引戸の上端部に付設するガイドローラと、上枠に固定するローラ受けとを組み合わせることによって、設計上、組立上の自由度が格段に大きい引戸のシール構造と、それを使用する戸装置を提供することにある。
【課題を解決するための手段】
【０００８】
かかる目的を達成するための請求項１の発明の構成は、戸車形式の引戸の上端部の戸先側、戸尻側にそれぞれ高さ位置を異ならせて付設する一対のガイドローラと、ガイドローラのそれぞれの高さ位置に合わせて上枠に固定する一対のローラ受けとを備えてなり、各ガイドローラは、引戸の閉鎖位置において各ローラ受けに係合し、引戸の上端部を天井側のシール材に密着させてシールすることをその要旨とする。
【０００９】
なお、請求項２の発明の構成は、請求項１の発明において、引戸の上端部は、天井側のガイドレールに係合するばね付きの揺動ローラを介し、天井側のシール材から引き離す方向に付勢する。
【００１０】
請求項３の発明の構成は、戸枠と、戸枠に組み込む戸車形式の引戸と、引戸に組み合わせる請求項１または請求項２記載の引戸のシール構造と、戸枠に装着するシール材とを備えてなり、シール材は、閉鎖位置の引戸の床側、天井側、戸先側、戸尻側に対応するように配置することをその要旨とする。
【００１１】
請求項４の発明の構成は、戸枠と、戸枠に組み込む左右の戸車形式の引戸と、引戸のそれぞれに組み合わせる請求項１または請求項２記載の引戸のシール構造と、戸枠に装着するシール材とを備えてなり、シール材は、閉鎖位置の各引戸の床側、天井側、戸尻側に対応するように配置することをその要旨とする。
【００１２】
請求項５の発明の構成は、戸枠と、戸枠の各竪枠に組み付ける左右の回転形式の扉と、戸枠に組み込む左右の戸車形式の引戸と、引戸のそれぞれに組み合わせる請求項１または請求項２記載の引戸のシール構造と、戸枠に装着するシール材とを備えてなり、シール材は、各引戸の床側、天井側、各扉の床側、天井側、ヒンジ側に対応するように配置することをその要旨とする。
【発明の効果】
【００１３】
かかる請求項１の発明の構成によるときは、引戸の上端部の戸先側、戸尻側の各ガイドローラは、引戸の閉鎖位置において、上枠に固定する各ローラ受けに係合することにより、引戸の上端部を上枠側に引き付けて天井側のシール材に密着させてシールすることができる。すなわち、引戸側のガイドローラは、上枠側のガイド受けに係合し、天井側のシール材を介して閉鎖位置の引戸の上端部のシールを完成させる。ただし、引戸の下端部は、戸枠に装着する床側のシール材によりシールされ、引戸の戸先側、戸尻側は、たとえば単一の引戸を戸枠に組み込む場合、左右の竪枠に装着するシール材によってシールすればよい。
【００１４】
なお、各ガイドローラは、それぞれの高さ位置を異ならせることにより、対応するローラ受けにのみ係合し、他のローラ受けと干渉することなく、他のローラ受けの位置を支障なく通過し得るものとする。また、閉鎖位置の引戸は、開放方向に駆動操作してガイドローラをローラ受けから外すだけでシール材によるシールを解除することができ、その後の操作力が過大になるおそれがない。
【００１５】
請求項２の発明は、天井側のガイドレールに係合するばね付きの揺動ローラを介し、引戸の上端部を天井側のシール材から引き離す方向に付勢することにより、引戸の開閉操作中において引戸の上端部を天井側のシール材から確実に離すことができ、シール材の損耗を最少に抑えることができる。なお、揺動ローラは、引戸の開閉ストロークの全長に亘り、天井側のガイドレールに係合して引戸の上端部を付勢しながら引戸とともに左右に移動する。
【００１６】
請求項３〜５の各発明の構成によるときは、戸枠に組み込む引戸のそれぞれに対して請求項１または請求項２の発明を適用することにより、閉鎖位置における各引戸の上端部のシールを完成し、請求項１または請求項２の発明の効果を実現することができる。ただし、請求項３〜５の発明は、それぞれ単一の引戸を戸枠に組み込む場合、召合せ部分を介して左右の引戸を戸枠に組み込む場合、左右の引戸と、両側の扉とを共通の戸枠に組み込む場合に対応しており、それぞれの場合について、各引戸、各扉をシールするシール材を最も合理的に配置することにより、各引戸、各扉を閉鎖するときの全体のシールを完成することができる。
【図面の簡単な説明】
【００１７】
【図１】全体正面図（室外側）
【図２】全体背面図（室内側）
【図３】図１のＡ−Ａ線矢視相当要部拡大断面図
【図４】揺動ローラの構成説明図
【図５】図１のＢ−Ｂ線矢視相当要部拡大断面図
【図６】図１のＸ1 −Ｘ1 線矢視相当要部拡大断面図
【図７】図１のＸ2 −Ｘ2 線矢視相当要部拡大断面図
【図８】図１のＸ3 −Ｘ3 線矢視相当要部拡大断面図
【図９】図２の要部拡大図
【図１０】要部拡大説明図（１）
【図１１】要部拡大説明図（２）
【図１２】図３相当の動作説明図
【図１３】要部拡大説明図（３）
【図１４】他の実施の形態を示す模式説明図
【発明を実施するための形態】
【００１８】
以下、図面を以って発明の実施の形態を説明する。
【００１９】
戸装置は、戸枠１０に対し、左右の回転形式の扉２０、２０を組み付け、左右の戸車形式の引戸３０、３０を組み込んでなる（図１、図２）。
【００２０】
戸枠１０は、下枠１１、上枠１２と、左右の竪枠１３、１３とを枠状に組み立てて構成されている。左右の扉２０、２０は、それぞれヒンジ２１を介して竪枠１３に組み付けられており、ヒンジ２１を介して室外側（図１において紙面の手前側）に開くことができる。なお、下枠１１、上枠１２は、それぞれ幅木レール４１、天井レール５１の室内側に取り付けられている。
【００２１】
引戸３０、３０は、それぞれ戸先側、戸尻側の戸車３１、３１を介して共通の戸車レール３２上に左右に移動自在にセットされている（図１、図３）。なお、戸車レール３２は、左右の扉２０、２０の下部にまで直線状に延長されている。各戸車３１は、ブラケット３１ａに装着されており、戸車レール３２からの外れ止め３１ｂが付設されている。また、各戸車３１には、図示しないレベル調整ねじが付属している。各引戸３０の室内側には、引戸３０の実効厚さを大きくするためにカバー部材３５がほぼ全面に亘って付設されており、カバー部材３５には、遮音材３５ａが充填されている。
【００２２】
床Ｆ側の幅木レール４１には、アジャスタボルト４３付きのベース材４２が収納されている。幅木レール４１には、アジャスタボルト４３を介して支持する昇降材４４が組み合わされており、下枠１１は、昇降材４４の室内側にねじ止めされている。また、戸車レール３２は、昇降材４４の上面にねじ止めされている。昇降材４４、下枠１１の上縁には、それぞれ引戸３０の下端部に接触するシール材４５が装着されている。幅木レール４１には、遮音材４１ａが充填され、下枠１１には、プラスタボード１１ａが内装されている。
【００２３】
天井Ｃ側の天井レール５１の下面には、下向きのガイドレール３４が取り付けられ、ガイドレール３４は、左右の扉２０、２０の上部にまで直線状に延長されている。また、天井レール５１の室内側には、上枠１２がねじ止めされている。天井レール５１内には、遮音材５１ａが充填され、天井レール５１、上枠１２の下縁には、それぞれ引戸３０の上端部に接触するシール材５２が装着されている。上枠１２には、プラスタボード１２ａが内装され、上枠１２とガイドレール３４との間には、クッション材５３が装着されている。
【００２４】
各引戸３０の上端部の戸先側、戸尻側には、それぞれ天井Ｃ側のガイドレール３４に係合する揺動ローラ３３が上向きに装着されている。揺動ローラ３３は、揺動軸３３ａの先端にローラ３３ｂを回転自在に装着して構成されている（図４）。ただし、図４（Ａ）〜（Ｃ）は、それぞれ正面図、左側面図、上面図である。
【００２５】
揺動軸３３ａの下端部は、ブラケット３３ｄ上の水平軸３３ｃに対して回転自在に連結されている。ブラケット３３ｄは、ベース板３３ｅ上にねじ止めされており、水平軸３３ｃには、ばね３３ｆが装着されている。そこで、揺動ローラ３３は、揺動軸３３ａが直立姿勢（図４（Ｂ）の実線）から前方側に一定角度だけ傾く傾斜姿勢（同図（Ｂ）の二点鎖線）をとることができる。また、ばね３３ｆは、傾斜姿勢の揺動軸３３ａを直立姿勢に引き戻す方向に付勢することができる（同図（Ｂ）の矢印方向）。
【００２６】
床Ｆ側のシール材４５、４５は、左右の各扉２０の下端部にまで延長されている（図３、図５）。また、天井Ｃ側のシール材５２、５２は、左右の各扉２０の上端部にまで延長されている。天井Ｃ側のクッション材５３についても同様である。なお、各扉２０の室内側には、扉２０の実効厚さを大きくするためにカバー部材２５がほぼ全面に亘って付設されており、カバー部材２５には、遮音材２５ａが充填されている。
【００２７】
左右の引戸３０、３０の召合せ部分は、一方の引戸３０に付設する目板材６１によって引戸３０、３０の間の目地が塞がれている（図６）。目板材６１には、補助板６１ｃを介して遮音材６１ａ、６１ｂが充填され、他方の引戸３０に向けて、上下のクッション性の戸当り材６２、６２と、上下に連続するシール材６３とが付設されている。また、各引戸３０の室外側の相対向する戸先側には、クッション材６４が装着されている。ただし、図６には、上下の戸当り材６２、６２の一方のみが図示されている。
【００２８】
引戸３０と扉２０との間の目地も、引戸３０側に付設する戸当り材６２、６２、シール材６３付きの目板材６１を介して塞がれている（図７）。なお、引戸３０、扉２０には、目地の両側に相対向するようにしてクッション材６４、６４が装着されている。扉２０の開閉ハンドル２２には、室内側の掛金２２ａが連結されている。扉２０は、開閉ハンドル２２を介して掛金２２ａを目板材６１に掛け外しすることにより、閉鎖状態にロックし（図７）、開閉ハンドル２２、柱材７１に固定するヒンジ２１を介して室外側に開くことができる（図８の二点鎖線）。ただし、柱材７１は、戸枠１０の補強材となっている。
【００２９】
左右の竪枠１３、１３は、それぞれ柱材７１に取り付けられている。竪枠１３には、プラスタボード１３ａが内装され、閉鎖状態の扉２０に接触するシール材７２が装着されている。竪枠１３には、閉鎖位置のヒンジ２１のヒンジ片との間にクッション材７３が付設されている。左右の扉２０、２０は、それぞれ室外側に開くことができ、左右の引戸３０、３０は、それぞれ扉２０、２０を開いた後、左右に開くことができる。また、中央の召合せ部分を介して引戸３０、３０を閉じると、扉２０、２０を引戸３０、３０と同一平面に閉じることができる。
【００３０】
各引戸３０の室内側上端部の戸先側、戸尻側には、それぞれブラケット８１ａを介してガイドローラ８１が上向きに付設されている（図２、図９）。各引戸３０の一対のガイドローラ８１、８１は、カバー部材３５の上端左右にねじ止めするブラケット８１ａ、８１ａの上向きの長さを違えることにより、互いに高さ位置を異ならせて配置されている。また、上枠１２には、閉鎖位置の各引戸３０上の一対のガイドローラ８１、８１に対応するようにして、すなわちガイドローラ８１、８１の高さ位置に合わせて、各一対のローラ受け８２、８２…が高さ位置を違えてねじ止めされている。
【００３１】
各ローラ受け８２は、板材を折曲げ加工することにより、対応するガイドローラ８１が乗上げ可能な台形の頂部に平行部８２ａを形成している（図１０）。ただし、図１０（Ａ）は、同図（Ｂ）のＸ4 矢視相当図であり、同図（Ｂ）は、図９相当の要部説明図である。ローラ受け８２、８２は、引戸３０を閉鎖位置に移動させると、それぞれ対応するガイドローラ８１が右または左から乗り上げるようにして係合し、平行部８２ａ上に停止する（図９、図１１）。ただし、図１１（Ａ）、（Ｂ）は、それぞれ図１０（Ａ）、（Ｂ）に対応する説明図である。
【００３２】
ガイドローラ８１、８１がローラ受け８２、８２に係合して平行部８２ａ、８２ａ上に停止すると、引戸３０の上端部は、ガイドローラ８１、８１、ローラ受け８２、８２を介して上枠１２側に引き付けられ（図３の矢印Ｙ方向）、天井Ｃ側のシール材５２、５２を弾性変形させながらシール材５２、５２に密着して引戸３０の上端部をシールすることができる（図３、図９、図１１）。すなわち、引戸３０上の一対のガイドローラ８１、８１は、上枠１２上のローラ受け８２、８２とともに、引戸３０のシール構造を形成している。ただし、このとき、引戸３０の上端部の揺動ローラ３３、３３は、それぞれ内蔵のばね３３ｆに抗して直立姿勢から傾斜姿勢に傾き、ばね３３ｆを介して引戸３０の上端部をシール材５２、５２から引き離す方向に付勢している（図３の矢印Ｙ方向と逆方向）。
【００３３】
一方、引戸３０を閉鎖位置から右または左に開き操作すると、ガイドローラ８１、８１がローラ受け８２、８２の平行部８２ａ、８２ａから外れ（図１０）、その後、引戸３０を軽快に開くことができる。このとき、引戸３０上の揺動ローラ３３、３３は、内蔵のばね３３ｆ、３３ｆを介して直立姿勢に復帰し、引戸３０の上端部をシール材５２、５２から引き離すからである（図１２の矢印Ｚ方向）。なお、揺動ローラ３３、３３は、引戸３０の閉鎖位置を除く開閉ストロークの全長に亘って、正立姿勢を保ちながら天井Ｃ側のガイドレール３４に係合し、引戸３０の上端部がシール材５２、５２に摺接することを防止する。
【００３４】
ガイドローラ８１、８１は、引戸３０の閉鎖位置において、それぞれ対応するローラ受け８２に個別に係合するが（図９）、引戸３０を閉鎖位置から開き操作し、閉鎖位置に向けて閉じ操作するとき、高さ位置が合わない他のローラ受け８２と干渉することがない（図１３）。すなわち、各ガイドローラ８１は、対応しないローラ受け８２の位置を左右に通過することができ、引戸３０の開閉操作に差し支えることがない。ただし、図１３（Ａ）は、図９相当の要部説明図、同図（Ｂ）は、同図（Ａ）のＸ5 矢視相当図である。
【００３５】
なお、各ガイドローラ８１、ローラ受け８２は、引戸３０、３０の召合せ部分の直近の両側に高さ位置が異なる２組を配置し、同じ高さ位置の２組を配置しない方がよい（図２）。召合せ部分を越えて引戸３０を移動させたとき、その引戸３０のガイドローラ８１が他の引戸３０用のローラ受け８２に誤って係合することがないようにするためである。
【００３６】
以上の説明において、閉鎖状態の扉２０、２０、閉鎖位置の引戸３０、３０をシールするシール材４５、５２、７２は、戸枠１０に対し、図１４（Ａ）のように配置されている。すなわち、シール材４５、５２、７２は、各引戸３０の床Ｆ側、天井Ｃ側、各扉２０の床Ｆ側、天井Ｃ側、ヒンジ２１側に対応するように配置されている。ただし、図１４（Ａ）において、床Ｆ、天井Ｃ、ヒンジ２１は、図示が省略されており、床Ｆ側のシール材４５、天井Ｃ側のシール材５２は、それぞれ下枠１１、昇降材４４に付設する２本、天井レール５１、上枠１２に付設する２本を１本にまとめて図示されている。すなわち、床Ｆ側のシール材４５は、下枠１１、昇降材４４のいずれか一方に装着する１本のみとしてもよく、天井Ｃ側のシール材５２は、天井レール５１、上枠１２のいずれか一方に装着する１本のみとしてもよく、いずれの場合も、実質的に戸枠１０に装着されている。
【００３７】
そこで、戸枠１０に対して左右の戸車形式の引戸３０、３０を組み込む場合（図１４（Ｂ））、シール材４５、５２、７２は、閉鎖位置の各引戸３０の床Ｆ側、天井Ｃ側、戸尻側に対応するように配置すればよい。ただし、戸枠１０の左右には、引戸３０、３０用の戸袋９０、９０を設けてもよい。また、戸枠１０に対して単一の戸車形式の引戸３０を組み込む場合（同図（Ｃ））、閉鎖位置の引戸３０の床Ｆ側、天井Ｃ側、戸先側、戸尻側に対応するようにしてシール材４５、５２、７２を配置すればよい。ただし、戸枠１０の左または右には、引戸３０用の戸袋９０を設けてもよい。同様にして、引戸３０のシール構造は、戸車形式の引戸３０である限り、図示以外の任意の形態にも適用可能である。
【産業上の利用可能性】
【００３８】
この発明は、一般的な建築物の開口部の他、大形の機械設備の保守点検用の出入口などに対しても、広く好適に適用することができる。
【符号の説明】
【００３９】
Ｆ…床
Ｃ…天井
１０…戸枠
１２…上枠
１３…竪枠
２０…扉
２１…ヒンジ
３０…引戸
３３…揺動ローラ
３３ｆ…ばね
３４…ガイドレール
４５、５２、７２…シール材
８１…ガイドローラ
８２…ローラ受け
特許出願人          小松ウオール工業株式会社
代理人  弁理士                松  田  忠  秋
【図１】
2010265579.tif 000003
【図２】
2010265579.tif 000004
【図３】
2010265579.tif 000005
【図４】
2010265579.tif 000006
【図５】
2010265579.tif 000007
【図６】
2010265579.tif 000008
【図７】
2010265579.tif 000009
【図８】
2010265579.tif 000010
【図９】
2010265579.tif 000011
【図１０】
2010265579.tif 000012
【図１１】
2010265579.tif 000013
【図１２】
2010265579.tif 000014
【図１３】
2010265579.tif 000015
【図１４】
2010265579.tif 000016